(57)【要約】【課題】主屋根パネルの梁を兼用でき且つ支柱の設置位置や補助屋根パネル位置の自由度を高めることができ、且つ一本の梁に屋根パネルを固定できる簡易建物を提供する。【解決手段】本発明の簡易建物１は、間隔をおいて配置する複数の梁３、４と、複数の梁間に架設する主屋根パネル５と、補助屋根パネル７と、補助屋根パネル７を梁３に固定する連結具９とを備え、複数の梁３，４のうちの少なくとも一本は主屋根パネル５の側方に延出する食み出し部１７を有しており、補助屋根パネル７は一本の梁３の食み出し部１７のみに連結具９で固定してある。【選択図】      図１
2004293081.tif 000002
【特許請求の範囲】
【請求項１】
間隔をおいて配置する複数の梁と、複数の梁間に架設する主屋根パネルと、補助屋根パネルと、補助屋根パネルを梁に固定する連結具とを備え、複数の梁のうちの少なくとも一本は主屋根パネルの側方に延出する食み出し部を有しており、補助屋根パネルは一本の梁の食み出し部のみに連結具で固定してあることを特徴とする簡易建物。
【請求項２】
連結具はトラス構造を有していることを特徴とする請求項１に記載の簡易建物。
【請求項３】
複数の連結具を、梁の長手方向に間隔をあけて食み出し部に取り付けてあることを特徴とする請求項１に記載の簡易建物。
【請求項４】
補助屋根パネルは、食み出し部の長手方向に取付位置を調節自在で且つ食み出し部に対する垂直軸回りの取付角度が調整自在であることを特徴とする請求項１〜３のいずれか一項に記載の簡易建物。
【請求項５】
連結具は、補助屋根パネルの上面に固定する横材と、梁の下面と横材の上面との間に固定する連結具本体と、連結具本体の一方側側面と横材の一方側部との間に固定する一方側斜め部材と、連結具本体の他方側側面と横材の他方側部との間に固定する他方側斜め部材とを備え、連結具本体と一方側斜め部材と横材とでトラスを構成し且つ連結具本体と他方側斜め部材と横材とでトラスを構成していることを特徴とする請求項１に記載の簡易建物。
【請求項６】
梁と、梁に固定する屋根パネルと、屋根パネルの上面に固定する横材と、梁の下面と横材の上面との間に固定する連結具本体と、連結具本体の一方側側面と横材の一方側部との間に固定する一方側斜め部材と、連結具本体の他方側側面と横材の他方側部との間に固定する他方側斜め部材とを備え、連結具本体と一方側斜め部材と横材とでトラスを構成し且つ連結具本体と他方側斜め部材と横材とでトラスを構成していることを特徴とする簡易建物。
【請求項７】
連結具本体は、梁との取り付け位置を梁の長手方向に調節自在であり且つ梁に対する垂直軸回りの取り付け角度を調節自在にしてあることを特徴とする請求項６に記載の簡易建物。
【発明の詳細な説明】
【０００１】
【発明の属する技術分野】
本発明は、カーポート等の簡易建物に関する。
【０００２】
【従来の技術】
特許文献１には、主屋根パネルを複数の梁間に架設し、複数の梁間に補助屋根パネルを架設して、主屋根パネルと補助屋根パネルとの側縁部同士を略平行設けた構成が開示されている。
特許文献２には、屋根パネルを支柱で固定する構成が開示されており、屋根パネルに横材を固定するとともに、支柱の一側面に横材の一側部を固定し、支柱の一側面から斜め下方に傾斜した斜め部材を横材の他側部に固定して、支柱と横材と斜め部材とでトラスを構成することが開示されている。
【０００３】
【特許文献１】
特開２００２−２５６７２０号公報
【特許文献２】
実開平２−１１８０６３号公報
【０００４】
【発明が解決しようとする課題】
しかし、特許文献１に開示の技術では、補助屋根パネルは、主屋根パネルを取り付けている複数の梁に架設してあり、複数の梁に跨る長さのものに限られていた。
これに対して、例えば、カーポート（簡易建物）の横を自転車置場として用いる場合や、玄関の斜め前にカーポートがある場合にアプローチの屋根として、カーポートの屋根（主屋根パネル）の横に、複数の梁に跨らない大きさの補助屋根パネルを設けたいという要求がある。更に、このような補助屋根パネルを取り付ける場合に、庭木等が邪魔になったり、土地の形状等の制限があるため、梁を支える支柱の位置や補助パネルの取付位置を調節できることが望まれている。
一方、梁の下に屋根パネルを固定する場合に、特許文献２と同様に横材や斜め部材を設けても、梁には支柱のような垂直部材がないために梁と屋根パネルとの連結にトラス構造を取ることができなかった。
更に、屋根パネルは風等の影響を受けやすく安定が悪いため、梁の下に屋根パネルを固定する場合に、従来は複数の梁で屋根パネルを固定するものに限られており、一本の梁にのみ屋根パネルを固定することができなかった。
そこで、本発明は、主屋根パネルの梁を兼用でき且つ支柱の設置位置や補助屋根パネル位置の自由度を高めることができ、且つ一本の梁に屋根パネルを固定できる簡易建物を提供することを目的とする。
【０００５】
【課題を解決するための手段】
請求項１に記載の発明は、間隔をおいて配置する複数の梁と、複数の梁間に架設する主屋根パネルと、補助屋根パネルと、補助屋根パネルを梁に固定する連結具とを備え、複数の梁のうちの少なくとも一本は主屋根パネルの側方に延出する食み出し部を有しており、補助屋根パネルは一本の梁の食み出し部のみに連結具で固定してあることを特徴とする。
【０００６】
この請求項１に記載の発明では、補助屋根パネルは、一本の梁であって且つその食み出し部のみに固定しているから、複数の梁間に架設するための寸法を必要とされず、占有面積の小さい小型のものを用いることができ、例えば、主屋根パネルの横に自転車置場用の屋根や玄関のアプローチ用の屋根を取り付ける場合にも、庭木等の邪魔にならない大きさや土地の形状の制約に応じた大きさのものを用いることができる。
補助屋根パネルは、複数ある梁から適当な位置にある一つの梁を選んで施工できるので、補助屋根パネル設置位置の自由度が高い。
【０００７】
請求項２に記載の発明は、請求項１に記載の発明において、連結具はトラス構造を有していることを特徴とする。
【０００８】
この請求項２に記載の発明は、請求項１に記載の発明と同様な作用効果を奏するとともに、安定に且つ強固に固定できる。
【０００９】
請求項３に記載の発明は、請求項１に記載の発明において、複数の連結具を、梁の長手方向に間隔をあけて食み出し部に取り付けてあることを特徴とする。
【００１０】
この請求項３に記載の発明は、請求項１に記載の発明と同様な作用効果を奏するとともに、連結具は梁の食み出し部において複数箇所で補助屋根パネルを固定しているので、補助屋根パネルの安定がよく且つ強固に固定できる。
【００１１】
請求項４に記載の発明は、請求項１〜３のいずれか一項に記載の発明において、補助屋根パネルは、食み出し部の長手方向に取付位置を調節自在で且つ食み出し部に対する垂直軸回りの取付角度が調整自在であることを特徴とする。
【００１２】
この請求項４に記載の発明は、請求項１〜３のいずれか一項に記載の発明と同様な作用効果を奏するとともに、梁の長手方向に補助屋根パネルの取り付け位置を調節したり、梁に対する取り付け角度を調節自在としてあるので、土地の地形の制約や庭木等の邪魔にならない位置に柱を設置でき、梁を固定する支柱の設置場所の自由度が高いとともに、梁に対する補助屋根パネルの設置位置の自由度も高く、且つ補助屋根パネルの設置位置の変更もできる。
【００１３】
請求項５に記載の発明は、請求項１に記載の発明において、連結具は、補助屋根パネルの上面に固定する横材と、梁の下面と横材の上面との間に固定する連結具本体と、連結具本体の一方側側面と横材の一方側部との間に固定する一方側斜め部材と、連結具本体の他方側側面と横材の他方側部との間に固定する他方側斜め部材とを備え、連結具本体と一方側斜め部材と横材とでトラスを構成し且つ連結具本体と他方側斜め部材と横材とでトラスを構成していることを特徴とする。
【００１４】
この請求項５に記載の発明では、連結具は、連結具本体と斜め部材と横材とで梁の一方側面及び他方側面に合計２つのトラスを構成しているから、補助屋根パネルは、一本の梁にのみ固定しても少ない部品点数で、安定に且つ強固に固定できる。
【００１５】
請求項６に記載の発明は、梁と、梁に固定する屋根パネルと、屋根パネルの上面に固定する横材と、梁の下面と横材の上面との間に固定する連結具本体と、連結具本体の一方側側面と横材の一方側部との間に固定する一方側斜め部材と、連結具本体の他方側側面と横材の他方側部との間に固定する他方側斜め部材とを備え、連結具本体と一方側斜め部材と横材とでトラスを構成し且つ連結具本体と他方側斜め部材と横材とでトラスを構成していることを特徴とする。
【００１６】
この請求項６に記載の発明は、屋根パネルを梁の下面に固定する場合に、連結具本体と斜め部材と横材とで梁の一方側面及び他方側面に合計２つのトラスを構成するので、梁に屋根パネルを少ない部品点数で、安定に且つ強固に固定できる。
【００１７】
請求項７に記載の発明は、請求項６に記載の発明において、連結具本体は、梁との取り付け位置を梁の長手方向に調節自在であり且つ梁に対する垂直軸回りの取り付け角度を調節自在にしてあることを特徴とする。
【００１８】
この請求項７に記載の発明は、請求項６に記載の発明と同様な作用効果を奏するとともに、梁の長手方向に屋根パネルの取り付け位置を調節したり、梁に対する取り付け角度を調節自在としてあるので、土地の地形の制約や庭木等の邪魔にならない位置に柱を設置でき、梁を固定する支柱の設置場所の自由度が高いとともに、梁に対する屋根パネルの設置位置の自由度も高く、且つ屋根パネルの設置場所の変更もできる。
【００１９】
【発明の実施の形態】
以下に、添付図面を参照して本発明の実施の形態を説明する。図１は本発明の実施の形態にかかる簡易建物を上から見た平面図であり、図２は図１におけるＡ−Ａ断面図であり、図３は図１のＢ部を拡大して示す平面図であり、図４は図１におけるＢ部の縦断面図であり、図５は図１に示す簡易建物の正面図であり、図は第２の実施の形態にかかる簡易建物を上から見た平面図である。
本実施の形態にかかる簡易建物１は、カーポートであり、複数の梁３、４と、主屋根パネル５、補助屋根パネル（屋根パネル）７と、連結具９とを備えている。
各梁３、４は、それぞれ支柱１１、１１間に固定されており、一方の梁３の方が他方の梁４よりも長くなっている。
主屋根パネル５は、パネル固定１２により各梁３、４の下に架設されている。固定具１２は、主屋根パネル５の桁１３に下端側部を固定してあり、上端側部は梁３に固定されている。本実施の形態では、各梁３、４は、その長手方向が主屋根パネル５の側縁部１５に直交する位置に設けられている。
一方の梁（以下単に「梁」とする）３は主屋根パネル５から延出した食み出し部１７を有しており、この食み出し部１７に補助屋根パネル７が固定されている。この補助屋根パネル７は、一本の梁３にのみ固定しており、補助屋根パネル７は主屋根パネル５よりも小さく、本実施の形態では、主屋根パネル５がカーポートの屋根になっており、補助屋根パネル７は自転車置場や玄関アプローチの屋根として用いられるものである。
補助屋根パネル７の側縁部１９と主屋根パネル５の側縁部１５とは互いに略平行に且つ近接して配置してあり、補助屋根パネル７と主屋根パネル５とを隣接して設けている。
補助屋根パネル７は、２つの連結具９によりそれぞれ梁３の食み出し部１７のみに２箇所で固定されている。
連結具９は、梁３の下に補助屋根パネル７を固定しており、各連結具９は横材２３と、一方側斜め部材２７と、他方側斜め部材２９と、連結具本体２５とから構成されており、連結具本体２５と一方側斜め部材２７と横材２３とでトラスを構成し且つ連結具本体２５と他方側斜め部材２９と横材２３とでもトラスを構成している。
横材２３は、補助屋根パネル（屋根パネル）７の上面に且つ屋根補助パネル７のパネル側縁部１９と略平行に固定している。
一方側斜め部材２７及び他方側斜め部材２９はそれぞれ略Ｖ字形状を成しており、一方側斜め部材２７では、その一側部２７ａを連結具本体２５の一側面２５ａに固定しており、他側部２７ｂを横材２３の一方側部２３ａに固定している。尚、これらの固定部は斜め部材２７、２９をそれぞれブラケット２８で挟んでボルトにより固定されている。同様に、他方側斜め部材２９もその一側部２９ａを連結具本体２５の他側面（一側面に対抗する面）２５ｂに固定され、他側部２９ｂは横材２３の他端部２３ｂに固定されている。
連結具本体２５の上面２５ｃは梁３の下面に係止されている裏板３３にボルト３１により固定されており、連結具本体２５の上面２５ｃには、円弧形状の長孔であるボルト挿通孔３５が形成されており、このボルト挿通孔３５の円弧状に沿って取り付け位置を調節自在であり、梁３に対して補助屋根パネル７の垂直軸回りの取り付け角度が調節自在になっている。
裏板３３は、梁３の下面に梁の長手方向に沿って設けられた係止溝３７に沿って係止位置を調節自在になっており、補助屋根パネル７は梁３の長手方向に取付位置を調節自在になっている。
連結具本体２５の下面２５ｄは、横材２３にボルト３９で固定されている。
図６は、本発明の第２実施の形態を示しており、梁３を主屋根パネル５の側縁部１５に対して斜めに交差する位置に固定してあり、補助屋根パネル７をこの梁３の食み出し部１７に固定するとともに、補助屋根パネル７の側縁部１９を主屋根パネル５の側縁部１５と互いに平行に設けたものである。
この第２実施の形態では、第１実施の形態と梁３の長さは異なるが、同じ構成の梁３と、補助屋根パネル７と、連結具９を用いており、第１実施の形態と共通の部材を用いており、且つ梁３を固定している支柱５の位置を変えている。また、補助屋根パネル７は第１実施の形態とは異なって、主屋根パネル３の長手方向の端部から延出して食み出す位置に設けている。
【００２０】
次に、本発明にかかる簡易建物１の作用について説明する。第１及び第２実施の形態では、補助屋根パネル７は、一本のみの梁３であって且つその食み出し部１７のみに固定しているから、複数の梁３，４に架設する寸法が必要とされず、占有面積の小さく主屋根パネル５よりも小型のものを用いることができる。特に、自転車置場や玄関アプローチ等の必要に応じた機能を満たす大きさの補助屋根パネル７を、主屋根パネル５の梁３を利用して施工できるので、別途補助屋根パネル７用の梁や支柱を別に必要としないから、少ない部品点数で、簡単に且つ安価に施工できる。
また、主屋根パネル５を固定している複数の梁３、４から補助屋根パネル７の取付位置に応じて任意の梁３に取り付けできるので、補助パネルの取付位置の自由度が高い。
補助屋根パネル７の側縁部１９と主屋根パネル５の側縁部１５を略平行に配置しているので整列して見え外観が良いとともに、且つ本実施の形態では両者が近接して配置しているので、主屋根パネル５と補助屋根パネル７とが並んで連像して見え、更に外観が良い。
梁３に補助屋根パネル７を固定する連結具９は、補助パネル７に固定した横材２３と、一方側斜め部材２７と、連結具本体２５とでトラスを構成し且つ連結具本体２５と他方側斜め部材２９と横材２３とでもトラスを構成しているので、梁３に補助屋根パネル７を高い強度で且つ安定に固定できる。
連結具９は、梁３に対してその長手方向に取り付け位置を調節自在であるとともに、梁３に対して垂直軸回りの取り付け角度が調節自在であるから、図１に示すような第１実施の形態や図２に示す第２実施の形態のように、主屋根パネル５と補助屋根パネル７との側縁部同士を互いに平行に保持しつつ梁３に対する取付位置を自由に変えることができるので、土地の形状や、庭木等が邪魔にならないような位置に補助屋根パネルを設置でき、補助屋根パネル３７の設置位置の自由度が高い。
また、梁３を主屋根パネル５の側縁部１５に対して斜めに取り付けできるから、土地の形状の制約や、庭木等が邪魔になって支柱１１の立設位置が限られている場合でも、支柱１１の位置を任意に選択できるので、簡易建物１の施工の自由度が高い。
連結具９は、連結具本体２５と一方の斜め部材２７と横材２３とで梁の一方側面にトラスを構成し、連結具２５と他方の斜め部材２９と横材２３とで梁の他方側面にトラスを構成し、連結具本体２５の両側面に構成したトラスにより補助屋根パネル７を固定しているので、少ない部品点数で安定に且つ強固に固定できる。
【００２１】
本発明は、上述した実施の形態に限らず、本発明の要旨を逸脱しない範囲で種々変形可能である。
例えば、連結具９は補助屋根パネル７に限らず、主屋根パネル５と梁３、４との固定に用いてもよい。
一方側斜め部材２７及び他方側斜め部材２９は、それぞれ略Ｖ状を成すことに限らず、棒状や板状の部材であってもよい。
主屋根パネル５はカーポートの屋根に限らず、物置等の屋根であってもよいし、補助屋根パネル７もその用途は自転車置場や玄関アプローチの屋根に限らず、洗濯場等の屋根であってもよく、使用目的は限定されない。
請求項３に記載の発明では、一方側斜め部材２７及び他方側斜め部材２９は、それぞれ横材２３の上面に固定することに限らず、横材２３の側面に固定してもよい。
【００２２】
【発明の効果】
請求項１に記載の発明によれば、補助屋根パネルは、一本の梁であって且つその食み出し部のみに固定しているから、複数の梁間に架設するための寸法を必要とされず、占有面積の小さい小型のものを用いることができ、例えば、主屋根パネルの横に自転車置場用の屋根や玄関のアプローチ用の屋根を取り付ける場合にも、庭木等の邪魔にならない大きさや土地の形状の制約に応じた大きさのものを用いることができる。
補助屋根パネルは、複数ある梁から適当な位置にある一つの梁を選んで施工できるので、補助屋根パネル設置位置の自由度が高い。
【００２３】
請求項２に記載の発明によれば、請求項１に記載の発明と同様な作用効果を奏するとともに、安定に且つ強固に固定できる。
【００２４】
請求項３に記載の発明によれば、請求項１に記載の発明と同様な効果を奏するとともに、連結具は梁の食み出し部において複数箇所で補助屋根パネルを固定しているので、補助屋根パネルの安定がよく且つ強固に固定できる。
【００２５】
請求項４に記載の発明によれば、請求項１〜３のいずれか一項に記載の発明と同様な効果を奏するとともに、梁の長手方向に補助屋根パネルの取り付け位置を調節したり、梁に対する取り付け角度を調節自在としてあるので、土地の地形の制約や庭木等の邪魔にならない位置に柱を設置でき、梁を固定する支柱の設置場所の自由度が高いとともに、梁に対する補助屋根パネルの設置位置の自由度も高く、且つ補助屋根パネルの設置位置の変更もできる。
【００２６】
請求項５に記載の発明によれば、連結具は、連結具本体と斜め部材と横材とで梁の一方側面及び他方側面に合計２つのトラスを構成しているから、補助屋根パネルは、一本の梁にのみ固定しても少ない部品点数で、安定に且つ強固に固定できる。
【００２７】
請求項６に記載の発明によれば、屋根パネルを梁の下面に固定する場合に、連結具本体と斜め部材と横材とで梁の一方側面及び他方側面に合計２つのトラスを構成するので、梁に屋根パネルを少ない部品点数で、安定に且つ強固に固定できる。
【００２８】
請求項７に記載の発明によれば、請求項６に記載の発明と同様な効果を奏するとともに、梁の長手方向に屋根パネルの取り付け位置を調節したり、梁に対する取り付け角度を調節自在としてあるので、土地の地形の制約や庭木等の邪魔にならない位置に柱を設置でき、梁を固定する支柱の設置場所の自由度が高いとともに、梁に対する屋根パネルの設置位置の自由度も高く、且つ屋根パネルの設置場所の変更もできる。
【図面の簡単な説明】
【図１】本発明の第１実施の形態にかかる簡易建物を上から見た平面図である。
【図２】図１におけるＡ−Ａ断面図である。
【図３】図１のＢ部を拡大して示す平面図である。
【図４】図１におけるＢ部の縦断面図である。
【図５】図１に示す簡易建物の正面図である。
【図６】第２の実施の形態にかかる簡易建物を上から見た平面図である。
【符号の説明】
１      簡易建物
３      梁
４      梁
５      主屋根パネル
７      補助屋根パネル（屋根パネル）
９      連結具
１５    主屋根パネルの側縁部
１７    食み出し部
１９    補助屋根パネルの側縁部
２３    横材
２５    連結具本体
２７    一方側斜め部材
２９    他方側斜め部材
【図１】
2004293081.tif 000003
【図２】
2004293081.tif 000004
【図３】
2004293081.tif 000005
【図４】
2004293081.tif 000006
【図５】
2004293081.tif 000007
【図６】
2004293081.tif 000008
【手続補正書】
【提出日】平成15年4月16日(2003.4.16)
【手続補正１】
【補正対象書類名】明細書
【補正対象項目名】全文
【補正方法】変更
【補正の内容】
【特許請求の範囲】
【請求項１】間隔をおいて配置する複数の梁と、複数の梁間に架設する主屋根パネルと、補助屋根パネルと、補助屋根パネルを梁に固定する連結具とを備え、複数の梁のうちの少なくとも一本は主屋根パネルの側方に延出する食み出し部を有しており、補助屋根パネルは一本の梁の食み出し部のみに連結具で固定してあることを特徴とする簡易建物。
【請求項２】連結具はトラス構造を有していることを特徴とする請求項１に記載の簡易建物。
【請求項３】複数の連結具を、梁の長手方向に間隔をあけて食み出し部に取り付けてあることを特徴とする請求項１に記載の簡易建物。
【請求項４】補助屋根パネルは、食み出し部の長手方向に取付位置を調節自在で且つ食み出し部に対する垂直軸回りの取付角度が調節自在であることを特徴とする請求項１〜３のいずれか一項に記載の簡易建物。
【請求項５】連結具は、補助屋根パネルの上面に固定する横材と、梁の下面と横材の上面との間に固定する連結具本体と、連結具本体の一方側側面と横材の一方側部との間に固定する一方側斜め部材と、連結具本体の他方側側面と横材の他方側部との間に固定する他方側斜め部材とを備え、連結具本体と一方側斜め部材と横材とでトラスを構成し且つ連結具本体と他方側斜め部材と横材とでトラスを構成していることを特徴とする請求項１に記載の簡易建物。
【請求項６】梁と、屋根パネルと、屋根パネルを梁に固定する連結具とを備え、連結具は、屋根パネルの上面に固定する横材と、梁の下面と横材の上面との間に固定する連結具本体と、連結具本体の一方側側面と横材の一方側部との間に固定する一方側斜め部材と、連結具本体の他方側側面と横材の他方側部との間に固定する他方側斜め部材とを備え、連結具本体と一方側斜め部材と横材とでトラスを構成し且つ連結具本体と他方側斜め部材と横材とでトラスを構成していることを特徴とする簡易建物。
【請求項７】連結具本体は、梁との取り付け位置を梁の長手方向に調節自在であり且つ梁に対する垂直軸回りの取り付け角度を調節自在にしてあることを特徴とする請求項６に記載の簡易建物。
【発明の詳細な説明】
【０００１】
【発明の属する技術分野】
本発明は、カーポート等の簡易建物に関する。
【０００２】
【従来の技術】
特許文献１には、主屋根パネルを複数の梁間に架設し、複数の梁間に補助屋根パネルを架設して、主屋根パネルと補助屋根パネルとの側縁部同士を略平行設けた構成が開示されている。
特許文献２には、屋根パネルを支柱で固定する構成が開示されており、屋根パネルに横材を固定するとともに、支柱の一側面に横材の一側部を固定し、支柱の一側面から斜め下方に傾斜した斜め部材を横材の他側部に固定して、支柱と横材と斜め部材とでトラスを構成することが開示されている。
【０００３】
【特許文献１】
特開２００２−２５６７２０号公報
【特許文献２】
実開平２−１１８０６３号公報
【０００４】
【発明が解決しようとする課題】
しかし、特許文献１に開示の技術では、補助屋根パネルは、主屋根パネルを取り付けている複数の梁に架設してあり、複数の梁に跨る長さのものに限られていた。
これに対して、例えば、カーポート（簡易建物）の横を自転車置場として用いる場合や、玄関の斜め前にカーポートがある場合にアプローチの屋根として、カーポートの屋根（主屋根パネル）の横に、複数の梁に跨らない大きさの補助屋根パネルを設けたいという要求がある。更に、このような補助屋根パネルを取り付ける場合に、庭木等が邪魔になったり、土地の形状等の制限があるため、梁を支える支柱の位置や補助パネルの取付位置を調節できることが望まれている。
一方、梁の下に屋根パネルを固定する場合に、特許文献２と同様に横材や斜め部材を設けても、梁には支柱のような垂直部材がないために梁と屋根パネルとの連結にトラス構造を取ることができなかった。
更に、屋根パネルは風等の影響を受けやすく安定が悪いため、梁の下に屋根パネルを固定する場合に、従来は複数の梁で屋根パネルを固定するものに限られており、一本の梁にのみ屋根パネルを固定することができなかった。
そこで、本発明は、主屋根パネルの梁を兼用でき且つ支柱の設置位置や補助屋根パネル位置の自由度を高めることができ、且つ一本の梁に屋根パネルを固定できる簡易建物を提供することを目的とする。
【０００５】
【課題を解決するための手段】
請求項１に記載の発明は、間隔をおいて配置する複数の梁と、複数の梁間に架設する主屋根パネルと、補助屋根パネルと、補助屋根パネルを梁に固定する連結具とを備え、複数の梁のうちの少なくとも一本は主屋根パネルの側方に延出する食み出し部を有しており、補助屋根パネルは一本の梁の食み出し部のみに連結具で固定してあることを特徴とする。
【０００６】
この請求項１に記載の発明では、補助屋根パネルは、一本の梁であって且つその食み出し部のみに固定しているから、複数の梁間に架設するための寸法を必要とされず、占有面積の小さい小型のものを用いることができ、例えば、主屋根パネルの横に自転車置場用の屋根や玄関のアプローチ用の屋根を取り付ける場合にも、庭木等の邪魔にならない大きさや土地の形状の制約に応じた大きさのものを用いることができる。
補助屋根パネルは、複数ある梁から適当な位置にある一つの梁を選んで施工できるので、補助屋根パネル設置位置の自由度が高い。
【０００７】
請求項２に記載の発明は、請求項１に記載の発明において、連結具はトラス構造を有していることを特徴とする。
【０００８】
この請求項２に記載の発明は、請求項１に記載の発明と同様な作用効果を奏するとともに、安定に且つ強固に固定できる。
【０００９】
請求項３に記載の発明は、請求項１に記載の発明において、複数の連結具を、梁の長手方向に間隔をあけて食み出し部に取り付けてあることを特徴とする。
【００１０】
この請求項３に記載の発明は、請求項１に記載の発明と同様な作用効果を奏するとともに、連結具は梁の食み出し部において複数箇所で補助屋根パネルを固定しているので、補助屋根パネルの安定がよく且つ強固に固定できる。
【００１１】
請求項４に記載の発明は、請求項１〜３のいずれか一項に記載の発明において、補助屋根パネルは、食み出し部の長手方向に取付位置を調節自在で且つ食み出し部に対する垂直軸回りの取付角度が調節自在であることを特徴とする。
【００１２】
この請求項４に記載の発明は、請求項１〜３のいずれか一項に記載の発明と同様な作用効果を奏するとともに、梁の長手方向に補助屋根パネルの取り付け位置を調節したり、梁に対する取り付け角度を調節自在としてあるので、土地の地形の制約や庭木等の邪魔にならない位置に柱を設置でき、梁を固定する支柱の設置場所の自由度が高いとともに、梁に対する補助屋根パネルの設置位置の自由度も高く、且つ補助屋根パネルの設置位置の変更もできる。
【００１３】
請求項５に記載の発明は、請求項１に記載の発明において、連結具は、補助屋根パネルの上面に固定する横材と、梁の下面と横材の上面との間に固定する連結具本体と、連結具本体の一方側側面と横材の一方側部との間に固定する一方側斜め部材と、連結具本体の他方側側面と横材の他方側部との間に固定する他方側斜め部材とを備え、連結具本体と一方側斜め部材と横材とでトラスを構成し且つ連結具本体と他方側斜め部材と横材とでトラスを構成していることを特徴とする。
【００１４】
この請求項５に記載の発明では、連結具は、連結具本体と斜め部材と横材とで梁の一方側面及び他方側面に合計２つのトラスを構成しているから、補助屋根パネルは、一本の梁にのみ固定しても少ない部品点数で、安定に且つ強固に固定できる。
【００１５】
請求項６に記載の発明は、梁と、屋根パネルと、屋根パネルを梁に固定する連結具とを備え、連結具は、屋根パネルの上面に固定する横材と、梁の下面と横材の上面との間に固定する連結具本体と、連結具本体の一方側側面と横材の一方側部との間に固定する一方側斜め部材と、連結具本体の他方側側面と横材の他方側部との間に固定する他方側斜め部材とを備え、連結具本体と一方側斜め部材と横材とでトラスを構成し且つ連結具本体と他方側斜め部材と横材とでトラスを構成していることを特徴とする。
【００１６】
この請求項６に記載の発明は、屋根パネルを梁の下面に固定する場合に、連結具本体と斜め部材と横材とで梁の一方側面及び他方側面に合計２つのトラスを構成するので、梁に屋根パネルを少ない部品点数で、安定に且つ強固に固定できる。
【００１７】
請求項７に記載の発明は、請求項６に記載の発明において、連結具本体は、梁との取り付け位置を梁の長手方向に調節自在であり且つ梁に対する垂直軸回りの取り付け角度を調節自在にしてあることを特徴とする。
【００１８】
この請求項７に記載の発明は、請求項６に記載の発明と同様な作用効果を奏するとともに、梁の長手方向に屋根パネルの取り付け位置を調節したり、梁に対する取り付け角度を調節自在としてあるので、土地の地形の制約や庭木等の邪魔にならない位置に柱を設置でき、梁を固定する支柱の設置場所の自由度が高いとともに、梁に対する屋根パネルの設置位置の自由度も高く、且つ屋根パネルの設置場所の変更もできる。
【００１９】
【発明の実施の形態】
以下に、添付図面を参照して本発明の実施の形態を説明する。図１は本発明の実施の形態にかかる簡易建物を上から見た平面図であり、図２は図１におけるＡ−Ａ断面図であり、図３は図１のＢ部を拡大して示す平面図であり、図４は図１におけるＢ部の縦断面図であり、図５は図１に示す簡易建物の正面図であり、図は第２の実施の形態にかかる簡易建物を上から見た平面図である。
本実施の形態にかかる簡易建物１は、カーポートであり、複数の梁３、４と、主屋根パネル５、補助屋根パネル（屋根パネル）７と、連結具９とを備えている。
各梁３、４は、それぞれ支柱１１、１１間に固定されており、一方の梁３の方が他方の梁４よりも長くなっている。
主屋根パネル５は、パネル固定１２により各梁３、４の下に架設されている。固定具１２は、主屋根パネル５の桁１３に下端側部を固定してあり、上端側部は梁３に固定されている。本実施の形態では、各梁３、４は、その長手方向が主屋根パネル５の側縁部１５に直交する位置に設けられている。
一方の梁（以下単に「梁」とする）３は主屋根パネル５から延出した食み出し部１７を有しており、この食み出し部１７に補助屋根パネル７が固定されている。この補助屋根パネル７は、一本の梁３にのみ固定しており、補助屋根パネル７は主屋根パネル５よりも小さく、本実施の形態では、主屋根パネル５がカーポートの屋根になっており、補助屋根パネル７は自転車置場や玄関アプローチの屋根として用いられるものである。
補助屋根パネル７の側縁部１９と主屋根パネル５の側縁部１５とは互いに略平行に且つ近接して配置してあり、補助屋根パネル７と主屋根パネル５とを隣接して設けている。
補助屋根パネル７は、２つの連結具９によりそれぞれ梁３の食み出し部１７のみに２箇所で固定されている。
連結具９は、梁３の下に補助屋根パネル７を固定しており、各連結具９は横材２３と、一方側斜め部材２７と、他方側斜め部材２９と、連結具本体２５とから構成されており、連結具本体２５と一方側斜め部材２７と横材２３とでトラスを構成し且つ連結具本体２５と他方側斜め部材２９と横材２３とでもトラスを構成している。
横材２３は、補助屋根パネル（屋根パネル）７の上面に且つ屋根補助パネル７のパネル側縁部１９と略平行に固定している。
一方側斜め部材２７及び他方側斜め部材２９はそれぞれ略Ｖ字形状を成しており、一方側斜め部材２７では、その一側部２７ａを連結具本体２５の一側面２５ａに固定しており、他側部２７ｂを横材２３の一方側部２３ａに固定している。尚、これらの固定部は斜め部材２７、２９をそれぞれブラケット２８で挟んでボルトにより固定されている。同様に、他方側斜め部材２９もその一側部２９ａを連結具本体２５の他側面（一側面に対抗する面）２５ｂに固定され、他側部２９ｂは横材２３の他端部２３ｂに固定されている。
連結具本体２５の上面２５ｃは梁３の下面に係止されている裏板３３にボルト３１により固定されており、連結具本体２５の上面２５ｃには、円弧形状の長孔であるボルト挿通孔３５が形成されており、このボルト挿通孔３５の円弧状に沿って取り付け位置を調節自在であり、梁３に対して補助屋根パネル７の垂直軸回りの取り付け角度が調節自在になっている。
裏板３３は、梁３の下面に梁の長手方向に沿って設けられた係止溝３７に沿って係止位置を調節自在になっており、補助屋根パネル７は梁３の長手方向に取付位置を調節自在になっている。
連結具本体２５の下面２５ｄは、横材２３にボルト３９で固定されている。
図６は、本発明の第２実施の形態を示しており、梁３を主屋根パネル５の側縁部１５に対して斜めに交差する位置に固定してあり、補助屋根パネル７をこの梁３の食み出し部１７に固定するとともに、補助屋根パネル７の側縁部１９を主屋根パネル５の側縁部１５と互いに平行に設けたものである。
この第２実施の形態では、第１実施の形態と梁３の長さは異なるが、同じ構成の梁３と、補助屋根パネル７と、連結具９を用いており、第１実施の形態と共通の部材を用いており、且つ梁３を固定している支柱５の位置を変えている。また、補助屋根パネル７は第１実施の形態とは異なって、主屋根パネル３の長手方向の端部から延出して食み出す位置に設けている。
【００２０】
次に、本発明にかかる簡易建物１の作用について説明する。第１及び第２実施の形態では、補助屋根パネル７は、一本のみの梁３であって且つその食み出し部１７のみに固定しているから、複数の梁３，４に架設する寸法が必要とされず、占有面積の小さく主屋根パネル５よりも小型のものを用いることができる。特に、自転車置場や玄関アプローチ等の必要に応じた機能を満たす大きさの補助屋根パネル７を、主屋根パネル５の梁３を利用して施工できるので、別途補助屋根パネル７用の梁や支柱を別に必要としないから、少ない部品点数で、簡単に且つ安価に施工できる。
また、主屋根パネル５を固定している複数の梁３、４から補助屋根パネル７の取付位置に応じて任意の梁３に取り付けできるので、補助パネルの取付位置の自由度が高い。
補助屋根パネル７の側縁部１９と主屋根パネル５の側縁部１５を略平行に配置しているので整列して見え外観が良いとともに、且つ本実施の形態では両者が近接して配置しているので、主屋根パネル５と補助屋根パネル７とが並んで連像して見え、更に外観が良い。
梁３に補助屋根パネル７を固定する連結具９は、補助パネル７に固定した横材２３と、一方側斜め部材２７と、連結具本体２５とでトラスを構成し且つ連結具本体２５と他方側斜め部材２９と横材２３とでもトラスを構成しているので、梁３に補助屋根パネル７を高い強度で且つ安定に固定できる。
連結具９は、梁３に対してその長手方向に取り付け位置を調節自在であるとともに、梁３に対して垂直軸回りの取り付け角度が調節自在であるから、図１に示すような第１実施の形態や図２に示す第２実施の形態のように、主屋根パネル５と補助屋根パネル７との側縁部同士を互いに平行に保持しつつ梁３に対する取付位置を自由に変えることができるので、土地の形状や、庭木等が邪魔にならないような位置に補助屋根パネルを設置でき、補助屋根パネル３７の設置位置の自由度が高い。
また、梁３を主屋根パネル５の側縁部１５に対して斜めに取り付けできるから、土地の形状の制約や、庭木等が邪魔になって支柱１１の立設位置が限られている場合でも、支柱１１の位置を任意に選択できるので、簡易建物１の施工の自由度が高い。
連結具９は、連結具本体２５と一方の斜め部材２７と横材２３とで梁の一方側面にトラスを構成し、連結具２５と他方の斜め部材２９と横材２３とで梁の他方側面にトラスを構成し、連結具本体２５の両側面に構成したトラスにより補助屋根パネル７を固定しているので、少ない部品点数で安定に且つ強固に固定できる。
【００２１】
本発明は、上述した実施の形態に限らず、本発明の要旨を逸脱しない範囲で種々変形可能である。
例えば、連結具９は補助屋根パネル７に限らず、主屋根パネル５と梁３、４との固定に用いてもよい。
一方側斜め部材２７及び他方側斜め部材２９は、それぞれ略Ｖ状を成すことに限らず、棒状や板状の部材であってもよい。
主屋根パネル５はカーポートの屋根に限らず、物置等の屋根であってもよいし、補助屋根パネル７もその用途は自転車置場や玄関アプローチの屋根に限らず、洗濯場等の屋根であってもよく、使用目的は限定されない。
請求項３に記載の発明では、一方側斜め部材２７及び他方側斜め部材２９は、それぞれ横材２３の上面に固定することに限らず、横材２３の側面に固定してもよい。
【００２２】
【発明の効果】
請求項１に記載の発明によれば、補助屋根パネルは、一本の梁であって且つその食み出し部のみに固定しているから、複数の梁間に架設するための寸法を必要とされず、占有面積の小さい小型のものを用いることができ、例えば、主屋根パネルの横に自転車置場用の屋根や玄関のアプローチ用の屋根を取り付ける場合にも、庭木等の邪魔にならない大きさや土地の形状の制約に応じた大きさのものを用いることができる。
補助屋根パネルは、複数ある梁から適当な位置にある一つの梁を選んで施工できるので、補助屋根パネル設置位置の自由度が高い。
【００２３】
請求項２に記載の発明によれば、請求項１に記載の発明と同様な作用効果を奏するとともに、安定に且つ強固に固定できる。
【００２４】
請求項３に記載の発明によれば、請求項１に記載の発明と同様な効果を奏するとともに、連結具は梁の食み出し部において複数箇所で補助屋根パネルを固定しているので、補助屋根パネルの安定がよく且つ強固に固定できる。
【００２５】
請求項４に記載の発明によれば、請求項１〜３のいずれか一項に記載の発明と同様な効果を奏するとともに、梁の長手方向に補助屋根パネルの取り付け位置を調節したり、梁に対する取り付け角度を調節自在としてあるので、土地の地形の制約や庭木等の邪魔にならない位置に柱を設置でき、梁を固定する支柱の設置場所の自由度が高いとともに、梁に対する補助屋根パネルの設置位置の自由度も高く、且つ補助屋根パネルの設置位置の変更もできる。
【００２６】
請求項５に記載の発明によれば、連結具は、連結具本体と斜め部材と横材とで梁の一方側面及び他方側面に合計２つのトラスを構成しているから、補助屋根パネルは、一本の梁にのみ固定しても少ない部品点数で、安定に且つ強固に固定できる。
【００２７】
請求項６に記載の発明によれば、屋根パネルを梁の下面に固定する場合に、連結具本体と斜め部材と横材とで梁の一方側面及び他方側面に合計２つのトラスを構成するので、梁に屋根パネルを少ない部品点数で、安定に且つ強固に固定できる。
【００２８】
請求項７に記載の発明によれば、請求項６に記載の発明と同様な効果を奏するとともに、梁の長手方向に屋根パネルの取り付け位置を調節したり、梁に対する取り付け角度を調節自在としてあるので、土地の地形の制約や庭木等の邪魔にならない位置に柱を設置でき、梁を固定する支柱の設置場所の自由度が高いとともに、梁に対する屋根パネルの設置位置の自由度も高く、且つ屋根パネルの設置場所の変更もできる。
【図面の簡単な説明】
【図１】本発明の第１実施の形態にかかる簡易建物を上から見た平面図である。
【図２】図１におけるＡ−Ａ断面図である。
【図３】図１のＢ部を拡大して示す平面図である。
【図４】図１におけるＢ部の縦断面図である。
【図５】図１に示す簡易建物の正面図である。
【図６】第２の実施の形態にかかる簡易建物を上から見た平面図である。
【符号の説明】
１      簡易建物
３      梁
４      梁
５      主屋根パネル
７      補助屋根パネル（屋根パネル）
９      連結具
１５    主屋根パネルの側縁部
１７    食み出し部
１９    補助屋根パネルの側縁部
２３    横材
２５    連結具本体
２７    一方側斜め部材
２９    他方側斜め部材